(57)【要約】【課題】エレベータ装置の各所に救命装置を設置することで、保守員に対する救命行為が必要となった場合に、迅速に応急措置を施すことができるとともに救命関連施設への連絡も行うことで、保守員の救助を確実に行い、結果として保守員の安全性を図ることのできるエレベータ装置及びエレベータ装置の制御方法を提供する。【解決手段】昇降路Ｈ内を昇降する乗りかご１と、乗りかご１の運転を制御するエレベータ制御部２と、昇降路Ｈ、乗りかご１、エレベータ制御部２のいずれかまたはいずれにも設置される救命装置３と、救命装置３が取り外されたことを検出する取外検出装置４と、を備え、エレベータ制御部２は、取外検出装置４によって救命装置３が設置場所から取り外されたことが検出され、取り外されたことを示す信号を受信した場合、救命関連施設６へ救命信号を発報する。【選択図】図１
2012136333.tif 000002
【特許請求の範囲】
【請求項１】
昇降路内を昇降する乗りかごと、
前記乗りかごの運転を制御するエレベータ制御部と、
前記昇降路、前記乗りかご、前記エレベータ制御部のいずれかまたはいずれにも設置される救命装置と、
前記救命装置が取り外されたことを検出する取外検出装置と、を備え、
前記エレベータ制御部は、前記取外検出装置によって前記救命装置が設置場所から取り外されたことが検出され、取り外されたことを示す信号を受信した場合、救命関連施設へ救命信号を発報することを特徴とするエレベータ装置。
【請求項２】
前記エレベータ装置は、さらに、前記昇降路、前記乗りかご、前記エレベータ制御部に設置される点検スイッチを備え、
前記点検スイッチがＯＮされ、前記エレベータ制御部が前記エレベータ装置が点検作業中であることを確認した場合であって、前記取外検出装置によって前記救命装置が設置場所から取り外されたことが検出され、取り外されたことを示す信号を受信した場合に、救命関連施設へ救命信号を発報することを特徴とする請求項１に記載のエレベータ装置。
【請求項３】
前記エレベータ制御部は、前記取外検出装置によって前記救命装置が設置場所から取り外されたことが検出され取り外されたことを示す信号を受信した後、所定の時間内に前記取外検出装置によって前記救命装置が前記設置場所に設置し直されたことが検出され設置し直されたことを示す信号を受信した場合、救命関連施設への救命信号の発報が誤りであったことを示す誤報信号を発報することを特徴とする請求項１または請求項２に記載のエレベータ装置。
【請求項４】
前記エレベータ制御部は、前記取外検出装置によって前記救命装置が設置場所から取り外されたことが検出され、取り外されたことを示す信号を受信した場合、前記乗りかごの移動を禁止し前記乗りかごを停止させることを特徴とする請求項１ないし請求項３のいずれかに記載のエレベータ装置。
【請求項５】
前記エレベータ制御部は、前記取外検出装置によって前記救命装置が設置場所から取り外されたことが検出され、取り外されたことを示す信号を受信した場合に、前記乗りかごを最寄りの階床、或いは、基準階へと移動させることを特徴とする請求項１ないし請求項３のいずれかに記載のエレベータ装置。
【請求項６】
前記エレベータ制御部は、前記取外検出装置によって前記救命装置が設置場所から取り外されたことが検出され、取り外されたことを示す信号を受信した場合、前記乗りかごの内部、各階床のいずれかまたはいずれにも設置された報知装置を介して前記救命装置が使用されていることをエレベータ利用者に対して報知することを特徴とする請求項１ないし請求項５のいずれかに記載のエレベータ装置。
【請求項７】
昇降路、乗りかご、エレベータ制御部のいずれかまたはいずれにも設置される救命装置が取り外されたことを取外検出装置が検出するステップと、
前記エレベータ制御部が前記取外検出装置からの前記救命装置が取り外されたことを示す信号を受信し、救命関連施設へ救命信号を発報するステップと、
前記救命装置が取り外されたことを示す信号を前記エレベータ制御部が前記昇降路、または、前記エレベータ制御部に設置された前記取外検出装置から受信した場合に、前記乗りかごを停止させるステップと、
前記救命装置が取り外されたことを示す信号を前記エレベータ制御部が前記乗りかごに設置された前記取外検出装置から受信した場合に、前記乗りかごを最寄りの階床、或いは、基準階へと移動させるステップと、
を備えることを特徴とするエレベータ装置の制御方法。
【請求項８】
前記昇降路、前記乗りかご、前記エレベータ制御部のいずれかまたはいずれにも設置される救命装置が取り外されたことを前記取外検出装置が検出するステップの前に、前記エレベータ制御部が、前記昇降路、前記乗りかご、前記エレベータ制御部に設置される点検スイッチがＯＮされ前記エレベータ装置が点検作業中であることを確認するステップを備えることを特徴とする請求項７に記載のエレベータ装置の制御方法。
【請求項９】
前記エレベータ制御部が前記取外検出装置からの前記救命装置が取り外されたことを示す信号を受信し、救命関連施設へ救命信号を発報するステップの後、
前記エレベータ制御部は、前記乗りかごの内部、各階床のいずれかまたはいずれにも設置された報知装置を介して前記救命装置が使用されていることをエレベータ利用者に対して報知するステップを備えることを特徴とする請求項７または請求項８に記載のエレベータ装置の制御方法。
【請求項１０】
前記エレベータ制御部が、前記取外検出装置からの前記救命装置が取り外されたことを示す信号を受信し、救命関連施設へ救命信号を発報するステップの後、
前記取外検出装置が所定の時間内に前記救命装置が設置場所に設置し直されたことを検出した場合、前記エレベータ制御部が、救命関連施設への救命信号の発報が誤りであったことを示す誤報信号を発報するステップを備えることを特徴とする請求項７ないし請求項９のいずれかに記載のエレベータ装置の制御方法。
【発明の詳細な説明】
【技術分野】
【０００１】
本発明の実施の形態は、エレベータ装置及びエレベータ装置の制御方法に関する。
【背景技術】
【０００２】
従来より、救命装置を利用した心肺蘇生の重要性が指摘されている。心肺蘇生の際には、心肺蘇生装置、自動体外式除細動器（ＡＥＤ：Automated External Defibrillator）といった救命装置が利用される。特にＡＥＤは、近年法改正によって所定の範囲であれば医師等でなくとも一般人が取り扱えることになったことから、飛行機や列車内、或いは、ホテル等公共施設に広く設置されるようになってきている。
【０００３】
また、公共施設に設置されているエレベータに設置されることも考えられている。例えば、以下に示す特許文献１には、エレベータの乗りかご内にＡＥＤを設置することに関する発明が開示されている。
【先行技術文献】
【特許文献】
【０００４】
【特許文献１】特開２０１０−７６９２０号公報
【発明の概要】
【発明が解決しようとする課題】
【０００５】
しかしながら、特許文献１に開示されたＡＥＤを乗りかご内に備えるエレベータ装置の場合、以下の点について考慮されていない。
【０００６】
すなわち、乗場に設置される緊急呼び釦を押して乗場にＡＥＤを備える乗りかごを呼び寄せることで、そのエレベータ装置が設置されている建造物内での救命を行うことを目的としている。また、乗りかご内にＡＥＤが設置されていることから、当然のことながらエレベータ装置の利用者も必要に応じて利用することができる。
【０００７】
一方、ＡＥＤが必要とされる者は何も建造物内にいる者やエレベータ装置の利用者に限らない。例えば、昇降路や乗りかご等、エレベータ装置を点検している保守員がＡＥＤを必要とする場合も当然考えられる。保守員は乗りかごの内部はもちろんであるが、むしろ乗りかごの外部にあって点検作業を行うことが多い。従って、乗りかご内部にＡＥＤが備え付けられていても緊急の場合に間に合わない可能性も考えられる。
【０００８】
本発明は上記課題を解決するためになされたものであり、本発明の目的は、エレベータ装置の各所に救命装置を設置することで、保守員に対する救命行為が必要となった場合に、迅速に応急措置を施すことができるとともに救命関連施設への連絡も行うことで、保守員の救助を確実に行い、結果として保守員の安全性を図ることのできるエレベータ装置及びエレベータ装置の制御方法を提供することである。
【課題を解決するための手段】
【０００９】
本発明の実施の形態に係る第１の特徴は、エレベータ装置において、昇降路内を昇降する乗りかごと、乗りかごの運転を制御するエレベータ制御部と、昇降路、乗りかご、エレベータ制御部のいずれかまたはいずれにも設置される救命装置と、救命装置が取り外されたことを検出する取外検出装置と、を備え、エレベータ制御部は、取外検出装置によって救命装置が設置場所から取り外されたことが検出され、取り外されたことを示す信号を受信した場合、救命関連施設へ救命信号を発報する。
【００１０】
本発明の実施の形態に係る第２の特徴は、エレベータ装置の制御方法において、昇降路、乗りかご、制御部のいずれかまたはいずれにも設置される救命装置が取り外されたことを取外検出装置が検出するステップと、エレベータ制御部が取外検出装置からの救命装置が取り外されたことを示す信号を受信し、救命関連施設へ救命信号を発報するステップと、救命装置が取り外されたことを示す信号をエレベータ制御部が昇降路、または、エレベータ制御部に設置された取外検出装置から受信した場合に、乗りかごを停止させるステップと、救命装置が取り外されたことを示す信号をエレベータ制御部が乗りかごに設置された取外検出装置から受信した場合に、乗りかごを最寄りの階床、或いは、基準階へと移動させるステップとを備える。
【図面の簡単な説明】
【００１１】
【図１】本発明の実施の形態に係るエレベータ装置（機械室レス）の全体構成を示す全体図である。
【図２】本発明の実施の形態に係るエレベータ装置（機械室有り）の全体構成を示す全体図である。
【図３】本発明の実施の形態に係る救命装置の取り付け例を示す説明図である。
【図４】本発明の実施の形態に係るエレベータ装置のエレベータ制御部の内部構成を示すブロック図である。
【図５】本発明の実施の形態に係る救命装置の利用に関する流れを示すフローチャートである。
【図６】本発明の実施の形態に係る救命装置が設置されているエレベータ装置の乗場呼び登録装置の一例を示す説明図である。
【発明を実施するための形態】
【００１２】
以下、本発明の実施の形態について図面を参照して詳細に説明する。
【００１３】
図１は、本発明の実施の形態に係るエレベータ装置Ｅ１の全体構成を示す全体図である。また、図２は、本発明の実施の形態に係るエレベータ装置Ｅ２の全体構成を示す全体図である。エレベータ装置Ｅ１，Ｅ２の構成で相違するのは、昇降路Ｈの上部に機械室Ｍがあるか（エレベータ装置Ｅ２）、機械室Ｍがないか（エレベータ装置Ｅ１）である。その他の基本的な構成は略同じであるので、両者の構成の内同一の構成要素には同一の符号を付している。
【００１４】
エレベータ装置Ｅ１，Ｅ２は、昇降路Ｈ内を昇降する乗りかご１と、乗りかご１の運転を制御するエレベータ制御部２と、昇降路Ｈ、乗りかご１、エレベータ制御部２のいずれかまたはいずれにも設置される救命装置３と、救命装置３が取り外されたことを検出する取外検出装置４とを備えている。また、昇降路Ｈ、乗りかご１、エレベータ制御部２のいずれにも点検スイッチ５が設置されている。
【００１５】
乗りかご１は、エレベータ装置Ｅ１，Ｅ２を利用する者が乗り込む。乗りかご１内には、図示しないかご内呼び登録装置が設けられており、乗りかご１に乗り込んだ乗客が目的とする階床を登録するために使用する。後述するようにエレベータ制御部２からの制御信号は、乗りかご１に送信され、その指示内容に従って乗りかご１の運転が行われる。また、乗客がかご内呼び登録装置を利用して目的階への移動のためにかご呼び登録を行った場合、その情報がエレベータ制御部２へと送信される。
【００１６】
乗りかご１はかご床１ａ及びかご枠１ｂに固定されている。また乗りかご１の上部には、図示しない他端に釣り合い重りが連結されるロープ（図示せず）の一端が連結されている。なお、同様に図示されてはいないが、ロープが巻き掛けられ乗りかご１を昇降路Ｈ内において昇降させるための巻上機や調速機等、通常エレベータ装置Ｅ１，Ｅ２を構成する各要素は当然設けられている。
【００１７】
また、乗りかご１とエレベータ制御部２との間は、信号線Ｌとで接続されている。エレベータ制御部２は、乗りかご１に対して乗りかご１の運転制御に必要な信号を送信し、一方で後述する乗りかご１に設置されている取外検出装置４ａ、点検スイッチ５ａからの信号を受信する。なお、後述するピットＰ内に設置される取外検出装置４ａ、点検スイッチ５ａからの信号も信号線Ｌを通じてエレベータ制御部２へと送信される。
【００１８】
また、乗りかご１の外部であって、その天井には、救命装置３ａとこの救命装置３ａが取り外されたか否かを検出する取外検出装置４ａが設置されている。さらに保守員が乗りかご１の天井に乗って点検を行う際にスイッチをＯＮすることで、点検中であることを周知する点検スイッチ５ａも設けられている。
【００１９】
救命装置３ａ（以下、設置場所によって救命装置３ａないし３ｃの表示がなされるが、適宜まとめて「救命装置３」と表わす）は、例えばＡＥＤである。但し、ＡＥＤに限定されるわけではなく、利用者（保守員）の救命を行うことが可能な装置、例えば、酸素吸入器、心肺蘇生装置等も含まれる。エレベータ装置Ｅ１，Ｅ２では、乗りかご１上の他、昇降路Ｈ内のピットＰに救命装置３ｂが、エレベータ制御部２に脱着可能に、或いは、エレベータ制御部２の近傍に救命装置３ｃが設置されている。なお、乗りかご１の外部天井には救命装置３ａを設置する場合、狭い天井の中において保守等の際に邪魔にならず取り外し易い位置に設置される。例えば、図１に示すエレベータ装置Ｅ１の場合、かご枠１ｂの直下等であり、この位置であれば誤って救命装置３ａが設置場所から外れることも少ないと考えられる。
【００２０】
取外検出装置４ａ（以下、設置場所によって取外検出装置４ａないし４ｃの表示がなされるが、適宜まとめて「取外検出装置４」と表わす）は、救命装置３が設置される箇所に設けられ、救命装置３を使用するために救命装置３が設置（保持）されている箇所から取り外されたことを検出する装置である。エレベータ装置Ｅ１，Ｅ２では、乗りかご１上の他、昇降路Ｈ内のピットＰに設置される救命装置３ｂの取り外しの有無を検出するべく取外検出装置４ｂが、エレベータ制御部２に脱着可能に、或いは、エレベータ制御部２の近傍に設置される救命装置３ｃの取り外しの有無を検出するべく取外検出装置４ｃがそれぞれ設置されている。
【００２１】
なお、取り外されたことを検出する方法については、特に制限はない。例えば、救命装置３が取り外されることによって取外検出装置４であるスイッチがＯＮとなり、救命装置３が取り外されたことを検出するとともに、取り外されたことをエレベータ制御部２へ知らせる方法である。本発明の実施の形態においては、当該方法を例に挙げて説明する。
【００２２】
図３は、本発明の実施の形態に係る救命装置３の取り付け例を示す説明図である。図３では、エレベータ制御部２に救命装置３ｃが設置されている例を示している。図３はエレベータ制御部２を正面から見た図であり、扉（カバー）２ａが示されている。保守員は保守を行う際、この扉（カバー）２ａを手前に引いて開けることで内部に設置されている各機器の保守を行う。扉（カバー）２ａには、この扉（カバー）２ａを開くための取っ手２ｂと扉（カバー）２ａを開けずにエレベータ制御部２の内部の一部を見ることの可能な窓２ｃが設けられている。
【００２３】
図３に示す本発明の実施の形態におけるエレベータ制御部２では、その側面に受け台Ｒが設けられており、その上に救命装置３ｃが設置されている。救命装置３ｃの背面、エレベータ制御部２と接する位置には、取外検出装置４ｃが設置されている。救命装置３ｃが使用されない場合には、受け台Ｒの上で救命装置３ｃとエレベータ制御部２とは接している。この際、取外検出装置４ｃは救命装置３ｃとエレベータ制御部２とに挟まれて押し込まれた状態になる。取外検出装置４ｃがこの状態にある限り、救命装置３ｃは受け台Ｒの上にあり使用されていない。従って、エレベータ制御部２に対して取外検出装置４ｃから救命装置３ｃが使用された旨の信号、すなわち、救命装置３が設置場所（受け台Ｒの上）より取り外された旨の信号は送信されない。
【００２４】
一方、保守員の救命のために設置場所であるエレベータ制御部２（受け台Ｒの上）から救命装置３ｃが取り外されると（図３の矢印参照）、取外検出装置４ｃは押し込まれた状態から解放されて、図３に示すようにエレベータ制御部２から矢印の方向に伸びた状態となる。取外検出装置４ｃがこのような状態になることで、救命装置３が設置場所（受け台Ｒの上）から取り外された旨の信号がエレベータ制御部２へと送信される。
【００２５】
一方、逆に、スイッチがＯＦＦとなることによって救命装置３が取り外されたことを検出する方法であっても良い。また、取外検出装置４の構成は、電気的な構成であっても、機械的な構成であっても、救命装置３が取り外された状態、或いは一旦取り外された後に改めて取り付けられた状態を正確に把握することができるのであればどのような構成であっても良い。
【００２６】
また、図１、図２においては、取外検出装置４は破線で示している。これは、例えば図３に示す救命装置３ｃ及び取外検出装置４ｃに示されているように、救命装置３が取り外されず設置されている状態では、取外検出装置４は救命装置３と設置場所との間にあって図面上見えない状態にあるからである。
【００２７】
点検スイッチ５ａ（以下、設置場所によって点検スイッチ５ａないし５ｄの表示がなされるが、適宜まとめて「点検スイッチ５」と表わす）は、保守員がエレベータ装置Ｅ１，Ｅ２の点検を行う際にＯＮするスイッチである。点検スイッチ５がＯＮされることによって、点検スイッチ５が設置されているエレベータ装置が現在点検中であることが報知される。報知の先は、例えば、後述する管理人室やエレベータ装置の監視施設である。
【００２８】
なお、エレベータ装置Ｅ１，Ｅ２では、乗りかご１上の他、昇降路Ｈ内のピットＰに点検スイッチ５ｂが設置されている。また、エレベータ制御部２である、制御盤の扉にも点検スイッチ５ｃが設置され（図３において図示せず）、当該扉が点検に伴って開かれることによって、点検スイッチ５ｃがＯＮされる。さらに、機械室Ｍを備えるエレベータ装置Ｅ２においては、図２においては図示していないが、機械室Ｍの扉Ｍ１に点検スイッチ５ｄが設置され、扉Ｍ１が点検に伴って開かれることによって点検スイッチ５ｄがＯＮされる。
【００２９】
エレベータ制御部２は、上述した乗りかご１の運転制御の他、救命装置３が取り外されたことに関する情報を取外検出装置４から受信し処理を行う等、エレベータ装置Ｅ１，Ｅ２の運転制御を全般的に行う。
【００３０】
図４は、本発明の実施の形態に係るエレベータ装置Ｅ１，Ｅ２のエレベータ制御部２の内部構成を示すブロック図である。エレベータ制御部２は、受信部２１と、判断部２２と、計時部２３と、送信部２４とから構成される。なお、図２では、本発明の実施の形態を説明するに必要な機能を果たす構成のみを示している。従って、図示してはいないが、エレベータ制御部２がエレベータ装置Ｅ１，Ｅ２を運転制御する上で必要な構成を備えているのは当然である。
【００３１】
判断部２２は、受信部２１を介して取外検出装置４、或いは、点検スイッチ５からの信号を受信し、救命装置３の使用の有無等を判断する。救命装置３が使用されていると判断した場合には、送信部２４を介して救命関連施設へ救命信号を発報する。
【００３２】
計時部２３は、いわゆるタイマであり、後述するように、救命装置３が一旦設置場所から取り外された後、当該取り外しの検出が事故、すなわち、誤って設置場所から外れてしまった等であるか否かを判断するための時間を計測する。
【００３３】
エレベータ制御部２は、救命装置３が使用されると判断した場合、信号線Ｌを介して救命関連施設６にその旨通報（発報）する。救命関連施設６は、救命装置３の利用がされる保守員を救命する上で鍵となる様々な機能を備える施設である。本発明の実施の形態においては、救命関連施設６として、管理人室６ａと、監視施設６ｂと救命施設６ｃを挙げる。
【００３４】
管理人室６ａは、例えば、エレベータ装置Ｅ１，Ｅ２が設置されている建造物内に設けられる、管理人が詰める部屋である。但し、当該建造物内になければならないものではなく、当該建造物外にあっても良く、また、管理人の常駐の有無は問わない。監視施設６ｂは、例えば、エレベータ装置Ｅ１，Ｅ２を遠隔監視する施設である。エレベータ装置Ｅ１，Ｅ２の製造会社、或いは、メンテナンス会社によって設置されることが多い。救命施設６ｃは、消防署や医療機関等、救命装置３を使用した保守員の救命を実際に行う施設である。
【００３５】
なお、本発明の実施の形態においては、図１或いは、図２に示すように、エレベータ制御部２からの発報は、管理人室６ａ、及び監視施設６ｂに入る。救命施設６ｃに直接エレベータ制御部２からの発報を入れるよりもまず管理人室６ａ、及び監視施設６ｂに入れて状況を把握した後、救命施設６ｃに連絡した方が保守員の救命に資すると考えられるからである。但し、エレベータ制御部２からの発報をどの救命関連施設６に入れるかは任意に設定することができる。
【００３６】
図５は、本発明の実施の形態に係る救命装置３の利用に関する流れを示すフローチャートである。以下、このフローチャートを使用して救命装置３が取り外された場合におけるエレベータ装置Ｅ１，Ｅ２の制御の流れについて説明する。また、併せてエレベータ制御部２を構成する各部の働きについても説明する。
【００３７】
まずエレベータ装置Ｅ１，Ｅ２の保守を行う保守員が点検箇所に設置されている点検スイッチ５をＯＮしたか否かが、判断部２２において判断される（ＳＴ１）。これは、通常保守員がエレベータ装置Ｅ１，Ｅ２を点検する際には点検スイッチ５をＯＮにするため、点検スイッチのＯＮ、或いは、ＯＦＦを判断することによって、エレベータ装置Ｅ１，Ｅ２の点検が開始されるのか、点検は行われず通常運転がなされるのかが判断できる。前者の場合は、保守員が昇降路Ｈ内に立ち入る、ということを示していることになる。
【００３８】
一方、後者の場合には保守員が昇降路Ｈ内に立ち入ることはない。一般的に昇降路Ｈ内には保守員以外立ち入りが禁止されるものであることから、保守員が立ち入ることがなければ一般人が昇降路Ｈ内に立ち入ることはない。
【００３９】
エレベータ装置Ｅ１，Ｅ２に設置されたいずれの点検スイッチ５もＯＮではないと判断された場合（ＳＴ１のＮＯ）、上述したように当該エレベータ装置Ｅ１，Ｅ２は通常運転がなされる。そのため、昇降路Ｈ内には保守員も含めて何人も立ち入ることは想定できず、従って、エレベータ装置Ｅ１，Ｅ２の各部に設置されている救命装置３が使用されることもないと考えられる。
【００４０】
このような状況において、もし受信部２１を介して判断部２２が、救命装置３が設置場所から取り外された旨の取外検出装置４からの信号、すなわち、救命装置３が使用された旨の信号を受信した場合（ＳＴ２のＹＥＳ）、例えば、乗りかご１が昇降路Ｈ内を昇降する際の振動によって救命装置３が設置場所から外れたものと考えることができる。
【００４１】
そこで、このような場合には、判断部２２は、取外検出装置４からの発報は、誤報であると判断し、念のため救命関連施設６に誤報信号を発報する（ＳＴ３）。この発報によって救命関連施設６は救命装置３が設置場所から外れてしまっていることを認識できるので、例えば、この後直近に行われる点検の際に保守員に適切な場所に救命装置３を戻すように指示することが可能となる。ここでの「誤報」とは、発報が誤り、との意味ではなく、正当な理由があって救命装置３が設置場所から取り外された場合ではないことの発報との意味である。
【００４２】
なお、点検スイッチ５がＯＮにならず（ＳＴ１のＮＯ）、救命装置３の使用もない（取外検出装置４からの信号もエレベータ制御部２に入らない）場合（ＳＴ２のＮＯ）には、救命装置３が取り外された場合におけるエレベータ装置Ｅ１，Ｅ２の制御は行われず、救命装置３の利用に関する制御は待機状態となる。
【００４３】
次に、エレベータ装置Ｅ１，Ｅ２に設置されたいずれかの点検スイッチ５がＯＮとなった場合（ＳＴ１のＹＥＳ）、エレベータ装置Ｅ１，Ｅ２のいずれかの場所に保守員が立ち入っておりこれから点検が開始される旨の判断がなされる。本発明の実施の形態におけるエレベータ装置Ｅ１，Ｅ２においては、乗りかご１の天井部、ピットＰ、エレベータ制御部２のそれぞれに点検スイッチ５が設置されている。乗りかご１を点検する場合やピットＰ内に入って点検を行う場合は、点検スイッチ５を保守員がＯＮすることによってエレベータ制御部２にその旨の信号が送信される。エレベータ制御部２に関しては、例えば、エレベータ装置Ｅ１の場合、エレベータ制御部２が納められているボックスを開くことによって点検スイッチ５ｃがＯＮとなる。また、機械室Ｍが設けられているエレベータ装置Ｅ２の場合は、機械室Ｍに入るための扉Ｍ１を開くと点検スイッチ５ｄがＯＮとなる。
【００４４】
点検スイッチ５がＯＮされた後、判断部２２が救命装置３の使用がない（取外検出装置４からの救命装置３が取り外された旨の信号を受信しない）場合には（ＳＴ４のＮＯ）、待機状態となる。なお、図５に示すフローチャートには示していないが、待機状態のまま点検スイッチ５がＯＦＦにされた場合には、救命装置３が取り外された場合におけるエレベータ装置Ｅ１，Ｅ２の制御は行われることなく終了する。
【００４５】
保守員によるエレベータ装置Ｅ１，Ｅ２の点検が行われている状態で（ＳＴ１のＹＥＳ）、救命装置３の使用がなされた（取外検出装置４からの救命装置３が取り外された旨の信号を受信した）場合には（ＳＴ４のＹＥＳ）、判断部２２は、救命関連施設６に対して救命信号を発報する（ＳＴ５）。
【００４６】
救命装置３が使用される状態は、いずれにしろ保守員の命が差し迫った状態にあることから、この段階で救命関連施設６、特に管理人室６ａと監視施設６ｂの一方、或いは、いずれにも救命信号を発報する。この発報によって、救命信号を受信した救命関連施設６は、例えば、救急車を呼ぶ、救命施設６ｃに受け入れ体制の依頼を行うといった保守員の救命に向けた処理を行うことができる。
【００４７】
判断部２２は併せて計時部２３（図５のフローチャートにおいては「タイマ」と表わす）に予め定められた時間の計測を指示する（ＳＴ６）。ここで予め設定される時間は、エレベータ装置Ｅ１，Ｅ２が設置されている建造物等、様々な要因によって異なるが、保守員の救命との関係で設定される。
【００４８】
ここで、所定の時間が予め設定され計時部２３において計測されるのは以下の理由からである。すなわち、救命装置３が設置場所から外れると取外検出装置４がその旨発報することから、保守員は何らかの理由により誤って設置場所から救命装置３が外れてしまった場合にそのままの状態を放置しておくと、救命関連施設６に対して発報された救命信号が取り消されることなく保守員の救命に向けた処理が進行してしまうことを知っている。そのため、不必要に救命装置３が設置場所から外れた場合には、保守員はすぐに救命装置３を設置場所に戻すと考えられる。一方で、救命装置３が必要とされて使用されている場合には当然設置場所から外した救命装置３が元に戻されることはない。
【００４９】
このように、取外検出装置４は救命装置３が設置場所から取り外された場合には必ずエレベータ制御部２に対して取り外された旨を知らせるものである。従って、設置場所からの救命装置３の取り外しが、保守員の救命のためであるのか、或いは、何らかの理由により設置場所から外れてしまったためであるのか、の判断は、取外検出装置４からの信号のみからは判断し難い。
【００５０】
そこで、本発明の実施の形態においては、計時部２３において所定の時間を計測し、その時間内に救命装置３が設置場所に戻された旨の信号を受信、すなわち、取外検出装置４からの救命装置３が設置場所から取り外された旨の信号が途絶えない限り、保守員の救命のために救命装置３が使用されていると判断する。
【００５１】
但し、計時部２３によって所定の時間が計測されている間も取外検出装置４からの信号を受信していることには変わりないため、エレベータ装置Ｅ１，Ｅ２における安全を確保するため、判断部２２は一旦エレベータ装置の運行（乗りかご１の運転）を停止する（ＳＴ７）。
【００５２】
計時部２３は引き続き時間を計測している。判断部２２は、計時部２３から所定の時間が経過した旨の信号を受信しない限り、エレベータ装置Ｅ１，Ｅ２を停止状態とする（ＳＴ８のＮＯ）。
【００５３】
そして、所定時間が経過したと判断された時（ＳＴ８のＹＥＳ）、判断部２２は、改めて救命装置３がどのような状態にあるのか、すなわち、設置場所から取り外された救命装置３が設置場所に戻されたか否かを判断する（ＳＴ９）。
【００５４】
判断部２２は、救命装置３が設置場所に戻されていない（復帰していない）と判断した場合には（ＳＴ９のＮＯ）、判断部２２はまず、エレベータ装置Ｅ１，Ｅ２の周囲に救命装置３が使用されている旨、報知する（ＳＴ１０）。
【００５５】
この段階では、エレベータ制御部２が救命信号を発報して（ＳＴ５）から所定の時間が経過した後である（ＳＴ８）。この間、エレベータ装置Ｅ１，Ｅ２は停止した状態にあるが、通常、点検状態である旨が周知されているに過ぎない。このままではエレベータ装置Ｅ１，Ｅ２の周囲にいる者は、エレベータ装置Ｅ１，Ｅ２が点検状態にあることは理解しても、その内部で救命活動中であることは認識できない。
【００５６】
そこで、乗場呼び登録装置１０を利用してエレベータ装置Ｅ１，Ｅ２の周囲にいる者に対してもエレベータ装置Ｅ１，Ｅ２内で救命活動中であることを広く報知して、救命活動がよりスムーズに行われるように環境整備を行う。
【００５７】
また、所定時間経過後（ＳＴ８）に報知を行うのは、エレベータ制御部２が取外検出装置４から受信した信号が誤報であるか否かの判断（ＳＴ９）を行う時間を得るためである。誤報であるか否かの判断をする前にエレベータ装置Ｅ１，Ｅ２の周囲にいる者に報知すると無用の混乱を生じさせることになるからである。
【００５８】
図６は、本発明の実施の形態に係る救命装置３が設置されているエレベータ装置Ｅ１，Ｅ２の乗場呼び登録装置１０の一例を示す説明図である。乗場呼び登録装置１０は各階床のホールに設置され、エレベータ装置Ｅ１，Ｅ２を利用する者が乗りかご１を呼ぶために使用する。そのため、乗場呼び登録装置１０には乗場呼び登録ボタン１０ａと、例えば、乗りかご１の移動方向や階床を示す報知装置１０ｂが備えられている。救命活動中である旨の報知は、この報知装置１０ｂを使用して行われる。
【００５９】
なお、図６に示す乗場呼び登録装置１０の報知装置１０ｂには、「救命装置使用中」との文字が表示されているが、表示される文字（言葉）はどのようなものであっても良い。
【００６０】
さらに取外検出装置４が送信した救命装置３が取り外された旨の信号は、いずれの救命装置３、中でも乗りかご１の天井に設置された救命装置３ａが使用され、取外検出装置４ａからの信号であるか否かを判断する（ＳＴ１１）。判断部２２がこのような判断を行うのは、エレベータ装置Ｅ１，Ｅ２のいずれの場所で救命装置３が使用されているかによってその後に採用される処理方法が異なるからである。
【００６１】
取外検出装置４ａからの信号である場合、乗りかご１の天井に設置された救命装置３ａが使用されていることになる（ＳＴ１１のＹＥＳ）。この場合には、救命活動中の保守員を乗せたまま乗りかご１を基準階へと移動させる（ＳＴ１２）。図４のフローチャートには示していないが、併せて到着した階床においてエレベータ扉を開く制御を行っても良い。また、移動先の階床は基準階ではなく、点検作業中に停止している位置から最寄りの階床であっても良い。
【００６２】
乗りかご１の上部での救命活動であれば、乗りかご１上の保守員の安全を確保すれば、乗りかご１を移動させてもあまり重大な危険を招来することは少ない。むしろ、いち早く対象となる保守員を乗りかご１から搬送可能な状態とすることで、それだけ救命できる可能性を高めることができる。
【００６３】
一方、使用されている救命装置３が乗りかご１上に設置された救命装置３以外のものである場合、すなわち、エレベータ制御部２がピットＰ内に設置された救命装置３ｂが使用されていることを検出する取外検出装置４ｂ、或いはエレベータ制御部２近傍に設置された救命装置３ｃが使用されていることを検出する取外検出装置４ｃからの信号を受信した場合は（ＳＴ１１のＮＯ）、エレベータ装置Ｅ１，Ｅ２の停止状態をそのまま維持する（ＳＴ１３）。
【００６４】
救命装置３ｂ、或いは救命装置３ｃが使用されている状態では昇降路Ｈ内に保守員がいる。従って、そのような状態で乗りかご１を移動させると危険である。そのため、乗りかご１を含め、エレベータ装置Ｅ１，Ｅ２全体を停止した状態とする。
【００６５】
以上は、保守員のために救命装置３が使用されていると判断部２２によって判断された場合の処理である（ＳＴ９のＮＯ）。取外検出装置４からの救命装置３が設置場所に戻された、取外検出装置４が図３に示すような本発明の実施の形態における装置である場合には、救命装置３が設置場所から取り外されていることを示す信号が途絶えた（取外検出装置４がＯＦＦとなった）と判断部２２によって判断された場合には、エレベータ制御部２は救命関連施設６に対して先般発報した救命信号が誤報である旨の信号（誤報信号）を改めて発報する（ＳＴ１４）。救命関連施設６はこの誤報信号を受信することで、救命活動の開始に向けた処理を中止し待機状態へと移行することができる。
【００６６】
エレベータ制御部２は、併せてエレベータ装置Ｅ１，Ｅ２の停止を解除する（ＳＴ１５）とともに、計時部２３によるタイマ計測を終了させリセットさせる（ＳＴ１６）。これによって本発明の実施の形態に係る救命装置の利用に関する流れは終了する。
【００６７】
以上説明したように、エレベータ装置の各所に救命装置を設置することで、保守員に対する救命行為が必要となった場合に、迅速に応急措置を施すことができるとともに救命関連施設への連絡も行うことで、保守員の救助を確実に行い、結果として保守員の安全性を図ることのできるエレベータ装置及びエレベータ装置の制御方法を提供することが可能となる。
【００６８】
なお、これまでは、エレベータ装置が単数設置されている場合を前提に説明を行った。エレベータ装置が複数基設置されている場合であって、そのうちの単数基が点検作業中に救命活動が必要になった場合、例えば保守員の安全を最大限確保するため、他の通常運転中のエレベータ装置についても最寄りの階床に乗りかごを移動させて一旦その運転を停止させることができる。その際、乗場呼び登録装置の報知装置のみならず、通常運転を行っていた救命活動中（点検作業中）のエレベータ装置のみならず、その他のエレベータ装置のかご呼び登録装置の報知装置でも報知することができるようにしても良い。
【００６９】
また、この発明は、上記実施の形態そのままに限定されるものではなく、実施段階ではその要旨を逸脱しない範囲で構成要素を変形して具体化できる。例えば、エレベータ装置にて救命活動中であることをエレベータ装置の付近の者に報知する装置として、乗場呼び登録装置の報知装置を利用することを説明した。
【００７０】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。特に、救命装置の設置場所については、上述した３箇所に限られず適宜必要箇所に設置される。
【符号の説明】
【００７１】
１  乗りかご
２  制御部
３  救命装置
４  取外検出装置
５  点検スイッチ
６  救命関連施設
１０  乗場呼び登録装置
Ｅ１，Ｅ２  エレベータ装置
Ｈ  昇降路
Ｌ  信号線
Ｐ  ピット
Ｒ  受け台
【図１】
2012136333.tif 000003
【図２】
2012136333.tif 000004
【図３】
2012136333.tif 000005
【図４】
2012136333.tif 000006
【図５】
2012136333.tif 000007
【図６】
2012136333.tif 000008